(57)【特許請求の範囲】
【請求項１】
郵便物の重量を計量する計量器と、この計量器に接続してデータのやり取りを行う制御部とを備え、郵便物の引受処理などの郵便業務を行う郵便業務処理システムにおいて、
前記制御部は、郵便物の引受処理を行う際、郵便物の重量データを取得するときは重量データ取得コマンドを前記計量器へ送信し、
前記計量器は、前記制御部から重量データ取得コマンドを受信したときのみに、計量した郵便物の重量を重量データとして前記制御部に送信することを特徴とする郵便業務処理システム。
【請求項２】
前記制御部は、大量の郵便物の引受処理を行うか否かの判断において大量の郵便物の引受処理を行うと判断した判断情報を得た場合、郵便物の重量データを一定時間ごとに取得するときは定期的重量データ取得コマンドを前記計量器へ送信し、重量データの取得を停止するときは定期的重量データ停止コマンドを前記計量器へ送信し、
前記計量器は、前記制御部から定期的重量データ取得コマンドを受信したときは、前記制御部から定期的重量データ停止コマンドを受信するまで、計量した郵便物の重量を重量データとして一定時間ごとに前記制御部に送信することを特徴とする請求項１記載の郵便業務処理システム。
【発明の詳細な説明】
【０００１】
【発明の属する技術分野】
本発明は、郵便物の重量データに基づいて郵便物の引受処理などの郵便業務を行う郵便業務処理システム及び被計量物を計量する計量器に関する。
【０００２】
【従来の技術】
この種の郵便業務処理システムは、郵便局などの窓口に設置され、客からの郵便物の引受け、証紙・受領証発行、切手等の販売登録などを行うものである。このような郵便業務処理システムは、郵便物の重量を計量する計量部を有する計量器と、この計量器に接続してデータのやり取りを行う制御部とを備え、システムの電源スイッチが投入されると計量器にも電源から電力が供給されるようになっている。そして、従来は、計量器に電源から電力が供給されると、計量部で郵便物を一定時間ごとに計量し、それを重量データとして一定時間ごとに制御部に送信するようになっていた。
【０００３】
【発明が解決しようとする課題】
しかし、このような郵便業務処理システムにおいては、計量器から重量データが一定時間ごとに制御部へ送信され続けるため、制御部は、重量データを必要としない郵便業務の処理、例えば証紙・受領証発行処理や切手等の販売登録処理を行っている間でも、計量器からの重量データを受信し、読捨てなければならなかった。
【０００４】
また、計量器、データ入力用のタッチパネル、証紙などを印刷発行するプリンタなどの各機器は、製品コストの低下や汎用性を考慮して比較的通信速度の遅いＲＳ−２３２Ｃの規格に基づくインタフェースで制御部に接続するため、このような数種類の機器を同じＲＳ−２３２Ｃの規格に基づくインタフェースで制御する場合に、計量器の絶え間ない重量データの送信の影響で、システム全体のパフォーマンスが低下するという問題があった。
【０００５】
そこで、本発明は、重量データが必要なときに、その重量データを計量器から送信させることにより、重量データの受信処理を効率化することができ、システム全体のパフォーマンスの低下を防止できる郵便業務処理システム及び計量器を提供しようとするものである。
【０００６】
【課題を解決するための手段】
請求項１の本発明は、郵便物の重量を計量する計量器と、この計量器に接続してデータのやり取りを行う制御部とを備え、郵便物の引受処理などの郵便業務を行う郵便業務処理システムにおいて、制御部は、郵便物の引受処理を行う際、郵便物の重量データを取得するときは重量データ取得コマンドを計量器へ送信し、計量器は、制御部から重量データ取得コマンドを受信したときのみに、計量した郵便物の重量を重量データとして制御部に送信することを特徴とする郵便業務処理システムである。
【０００７】
請求項２の本発明は、制御部は、大量の郵便物の引受処理を行うか否かの判断において大量の郵便物の引受処理を行うと判断した判断情報を得た場合、郵便物の重量データを一定時間ごとに取得するときは定期的重量データ取得コマンドを計量器へ送信し、重量データの取得を停止するときは定期的重量データ停止コマンドを計量器へ送信し、計量器は、制御部から定期的重量データ取得コマンドを受信したときは、制御部から定期的重量データ停止コマンドを受信するまで、計量した郵便物の重量を重量データとして一定時間ごとに制御部に送信することを特徴とする請求項１記載の郵便業務処理システムである。
【００１０】
【発明の実施の形態】
以下、本発明を郵便業務処理システムに適用した場合の実施の形態を図１ないし図３を参照して説明する。
図１は、本実施の形態にかかる郵便業務処理システムの構成を示すブロック図で、１は、制御部である。この制御部１は、制御部本体を構成するメインＣＰＵ（中央処理装置）２、このメインＣＰＵ２が実行するプログラムデータ等を記憶したＲＯＭ（リ−ド・オンリ・メモリ）３、メインＣＰＵ２が各種データ処理を行うために使用するメモリエリア等を設けたＲＡＭ（ランダム・アクセス・メモリ）４、ハードディスク装置（ＨＤＤ）５、フロッピーディスク装置（ＦＤＤ）６、後述する計量器１７を含めた各部へ電力を供給する電源１０をオンオフするための電源スイッチ７、オペレータが操作するキーを設けたキーボード１１と液晶表示器で構成したオペレータ用表示器１２と客用表示器１３を接続するインタフェース８、ＲＳ−２３２Ｃの規格に基づくＲＳ２３２Ｃインタフェース９を備える。
【００１１】
上記制御部１のＲＳ２３２Ｃインタフェース９には、上記オペレータ用表示器１２の画面に重ねて設けたオペレータ用タッチパネル１４、上記客用表示器１３の画面に重ねて設けた客用タッチパネル１５、受領証・証紙等を発行するプリンタ１６、顧客から引受けた郵便物（被計量物）を計量する計量器１７が接続している。
【００１２】
上記計量器１７は、この計量器１７の制御部本体を構成するサブＣＰＵ２１、ＲＯＭ２２、ＲＡＭ２３、ロードセル等からなる郵便物の重量を計量する計量部２４、制御部１のＲＳ２３２Ｃインタフェース９に接続したＲＳ２３２Ｃインタフェース２５、後述のように大量の郵便物を引受ける場合に重量データを一定時間ごとに送信するようにしているが、その場合の一定時間を計時する内部タイマ２６を備える。
【００１３】
上記電源スイッチ７がオンされると、制御部１、計量器１７など各部に電力が供給され、制御部１のメインＣＰＵ２は図２に示すような処理を行い、計量器１７のサブＣＰＵ２１は図３に示すような処理を行うようになっている。
【００１４】
上記制御部１のは、先ずＳＴ１にて重量データを必要とする郵便物の引受処理を行うか否かを判断する。ＳＴ１にて郵便物の引受処理以外（切手等の販売登録、点検、精算など）の処理を行うと判断した場合はＳＴ２にて該当する処理（他の処理）を行う。
【００１５】
具体的には、例えばオペレータ用表示器１２に郵便物の引受処理、証紙・受領証発行処理、切手等の販売登録処理などの処理メニューを表示し、オペレータ用タッチパネル１４で選択された処理を実行する。なお、ここでは、郵便物の引受処理以外の処理（他の処理）においては重量データを必要としないので、他の処理では後述する重量データ取得コマンドを計量器１７に送信することはない。従って、制御部１は計量器１７から重量データを受信することもない。
【００１６】
ＳＴ１にて郵便物の引受処理を行うと判断した場合（処理メニューから郵便物の引受処理が選択された場合）は、ＳＴ３にて大量の郵便物の引受か否かを判断する。具体的には、例えばオペレータ用表示器１２に大量の郵便物の引受を行う場合の大量引受ボタンを表示し、オペレータ用タッチパネル１４からその大量引受ボタンが押されたか否かを判断する。
【００１７】
ＳＴ３にて大量の郵便物の引受でないと判断した場合（大量引受ボタンが押されなかった場合）は、ＳＴ４にて郵便物の重量データを取得するための重量データ取得コマンドをＲＳ２３２Ｃインタフェース９を介して計量器１７へ送信する。そして、ＳＴ５にて計量器１７からＲＳ２３２Ｃインタフェース９を介して重量データを受信する。
【００１８】
次に、ＳＴ６にて引受処理を行う。例えば、計量器１７からの重量データに基づいて郵便料金を算出して各表示器１２、１３に表示させたり、受領証をプリンタ１６から発行させたりする。
【００１９】
そして、ＳＴ７にて次の郵便物の引受処理を行うか否かを判断する。例えば、オペレータ用表示器１２に次の郵便物の引受処理を行うか否かを選択させる表示を行い、オペレータ用タッチパネルにより次の郵便物の引受処理を行うことが選択されたか否かを判断する。ＳＴ７にて次の郵便物の引受処理を行わないと判断した場合はＳＴ１の処理に戻り、次の郵便物の引受処理を行うと判断した場合はＳＴ４の処理に戻る。
【００２０】
また、ＳＴ３にて大量の郵便物の引受であると判断した場合、ＳＴ８にて郵便物の重量データを一定時間ごとに取得するための定期的重量データ取得開始コマンドをＲＳ２３２Ｃインタフェース９を介して計量器１７へ送信する。そして、ＳＴ９にて計量器１７からＲＳ２３２Ｃインタフェース９を介して重量データを受信する。
【００２１】
続いて、ＳＴ１０にて引受処理を行い、ＳＴ１１にて重量データ取得を繰返すか否かを判断する。例えば、オペレータ用表示器１２に重量データ取得を続けるか否かを選択させる表示を行い、オペレータ用タッチパネルにより重量データ取得を続けるか否かを選択されたか否かを判断する。
【００２２】
ＳＴ１１にて重量データ取得を続けると判断した場合は、ＳＴ９の処理に戻り、重量データ取得を続けないと判断した場合はＳＴ１２にて重量データの取得を停止するための定期的重量データ取得停止コマンドをＲＳ２３２Ｃインタフェース９を介して計量器１７へ送信し、ＳＴ１の処理に戻る。
【００２３】
一方、計量器１７のサブＣＰＵ２１は、図３に示すように、先ずＳＴ２１にて制御部１から重量データ取得コマンドを受信したか否かを判断する。ＳＴ２１にて制御部１から重量データ取得コマンドを受信したと判断した場合はＳＴ２２にて郵便物の重量を計量し、その結果を重量データとして制御部１へＲＳ２３２Ｃインタフェース２５を介して送信する。このように、制御部１から重量データ取得コマンドを受信した場合は１回だけ重量データを送信する。
【００２４】
ＳＴ２１にて制御部１から重量データ取得コマンドを受信していないと判断した場合はＳＴ２３にて制御部１から定期的重量データ取得開始コマンドを受信したか否かを判断する。ＳＴ２３にて制御部１から定期的重量データ取得開始コマンドを受信していないと判断した場合はＳＴ２１に戻り、制御部１から定期的重量データ取得開始コマンドを受信したと判断した場合はＳＴ２４にて制御部１から定期的重量データ取得停止コマンドを受信したか否かを判断する。
【００２５】
ＳＴ２４にて制御部１から定期的重量データ取得停止コマンドを受信していないと判断した場合はＳＴ２５にて郵便物の重量を計量してその結果を重量データとしてＲＳ２３２Ｃインタフェース２５を介して制御部１へ送信する。
【００２６】
続いて、ＳＴ２６にて内部タイマ２６を駆動し一定時間の計時を行う。内部タイマ２６による一定時間の計時が終了したか否かを判断する。ＳＴ２７にて内部タイマ２６による一定時間の計時が終了していないと判断した場合はＳＴ２６の処理に戻り、内部タイマ２６による一定時間の計時が終了したと判断した場合はＳＴ２４の処理に戻る。
【００２７】
ＳＴ２４にて制御部１から定期的重量データ取得停止コマンドを受信したと判断した場合はＳＴ２１の処理に戻る。従って、定期的重量データ取得停止コマンドを受信するまでは一定時間ごとに重量データが送信されるが、定期的重量データ取得停止コマンドを受信した後は重量データは送信されない。
【００２８】
このような構成の本発明の実施の形態においては、重量データを必要とする郵便物の引受処理を行う際、制御部１は、重量データを取得するときだけ、重量データ取得コマンドを計量器１７へ送信する。そして、計量器１７は、制御部１から重量データ取得コマンドを受信したときのみに、計量した郵便物の重量を重量データとして制御部１に送信する。
【００２９】
このように、重量データが必要なときに、その重量データを計量器１７から送信させることにより、重量データの受信処理を効率化することができる。また、重量データを必要としない処理時には、重量データが計量器１７から制御部１へ送信されることはないので、これらの処理を効率的に行うことができる。また、不要な重量データの受信や読捨ての処理が必要なくなるので、重量データの受信を行うインタフェース（ＲＳ−２３２Ｃインタフェース９）に接続されている他の各機器にほとんど影響を与えることはない。このため、システム全体のパフォーマンスの低下を防止できる。
【００３０】
また、大量の郵便物を引受ける場合には、制御部１が定期的重量データ取得コマンドを計量器１７へ送信することにより、計量器１７は一定時間ごとに重量データを制御部１へ送信し、制御部１が定期的重量データ停止コマンドを計量器１７へ送信することにより、計量器１７は重量データの送信を停止するので、大量の郵便物の引受処理を効率的に行うことができる。
【００３１】
【発明の効果】
以上詳述したように請求項１の本発明によれば、重量データが必要なときに、その重量データを計量器から送信させることにより、重量データの受信処理を効率化することができる。また、重量データを必要としない処理時には、重量データが計量器から制御部へ送信されることはないので、これらの処理を効率的に行うことができる。また、不要な重量データの受信や読捨ての処理が必要なくなるので、重量データの受信を行うインタフェースに接続されている他の各機器にほとんど影響を与えることはない。このため、システム全体のパフォーマンスの低下を防止できる。
【００３２】
また、請求項２の本発明によれば、大量の郵便物（被計量物）を引受ける場合には、制御部が定期的重量データ取得コマンドを計量器へ送信することにより、計量器は一定時間ごとに重量データを制御部へ送信し、制御部が定期的重量データ停止コマンドを計量器へ送信することにより、計量器は重量データの送信を停止するので、大量の郵便物の引受処理を効率的に行うことができる。
【図面の簡単な説明】
【図１】本発明の実施の形態に係る郵便業務処理システムの構成を示すブロック図。
【図２】同実施の形態における制御部のメインＣＰＵが行う処理を示す流れ図。
【図３】同実施の形態における計量器のサブＣＰＵが行う処理を示す流れ図。
【符号の説明】
１…制御部
２…メインＣＰＵ
８…インタフェース
９…ＲＳ−２３２Ｃインタフェース
１７…計量器
２１…サブＣＰＵ
２４…計量部
２５…ＲＳ−２３２Ｃインタフェース
２６…内部タイマ
【図１】
0004246870.tif 000002
【図２】
0004246870.tif 000003
【図３】
0004246870.tif 000004